(57)【特許請求の範囲】
【請求項１】
透水性シート材料でできた袋状のフィルタ本体と、前記本体をコーヒーカップ等のカップ類の開口部にかざすことを可能にする支持手段とを有する使い捨ての喫茶用フィルタ組立体であって、
前記組立体が、前記本体と、前記本体に入れられたコーヒーや茶葉等の被抽出物と、前記本体が封入されている密閉袋と、前記密閉袋に形成されている前記支持手段とで構成され、
前記本体が、開口可能な頂部と、前記頂部に対向している底部と、これら両部間に位置している周壁部とを有し、前記周壁部の所要部位が前記密閉袋の内面に止着しており、
前記密閉袋が、不透水性シート材料でできており、該密閉袋の頂部は、前記本体の頂部と重なり合っていて前記本体の頂部とともに接合して該密閉袋の幅方向全体に延びて該密閉袋を閉じている第１接合部を有し、前記第１接合部よりも下方には前記幅方向へ裁断可能な部位を有しており、該密閉袋の底部は、前記本体の底部より下方で前記不透水性シート材料どうしが重なり合って接合することにより形成されていて、前記幅方向へ延びる第２接合部を有し、前記第２接合部が、その上方部分で前記不透水性シート材料どうしの接合部位と非接合部位とが前記幅方向へ交互に配置されている第３接合部と、下方部分で前記幅方向全体に延びている第４接合部とで構成されていて、前記第３接合部において前記幅方向へ裁断可能に形成されており、
前記支持手段が、前記密閉袋の第１，２接合部間の外面に形成されていることを特徴とする前記組立体。
【請求項２】
前記不透水性シート材料が、プラスチックシート、紙、金属箔およびこれらのうちいずれかを使用したラミネートシートのいずれかである請求項１に記載の組立体。
【請求項３】
前記支持手段が、環状の部材であって、該部材の一部と該部材の内側に位置している前記密閉袋の外面の一部とが互いに接合している請求項１または２に記載の組立体。
【発明の詳細な説明】
【０００１】
【発明の属する技術分野】
この発明は、コーヒーや茶を入れるときに使用するのに好適な使い捨てのフィルタ組立体に関する。
【０００２】
【従来の技術】
実登３０００４２３号公報に開示の使い捨ての喫茶用フィルタは、袋状のフィルタ本体と、比較的高剛性の環状の支持部材とで構成されていて、本体の開口縁部が環状部材の内周面に固定されている。
【０００３】
この喫茶用フィルタでは、環状部材をコーヒーカップや湯呑み茶碗の開口縁に載置することによって、コーヒー粉末や茶葉を入れた袋状の本体をカップ等の上にかざすことができるから、湯を注ぐときに本体や環状部材を手で支える必要がない。
【０００４】
【発明が解決しようとする課題】
前記公知の喫茶用フィルタでは、フィルタの抽出速度が速すぎて、コーヒー粉末等の被抽出物と湯との接触時間が短すぎる場合には、湯をゆっくりと注がねばならない。そのようにすることは、例えば湯を注ぐためのポットを長く持ち続けることにもなるから、そうした手間は極力排除することが好ましい。
【０００５】
そこで、この発明は、前記公知の喫茶用フィルタにおいて、速すぎる抽出速度の抑制を課題にしている。
【０００６】
【課題を解決するための手段】
前記課題を解決するために、この発明が対象とするのは、透水性シート材料でつくられた袋状のフィルタ本体と、前記本体をコーヒーカップ等のカップ類の開口部にかざすことを可能にする支持手段とを有する使い捨ての喫茶用フィルタ組立体である。
【０００７】
かかる組立体において、この発明が特徴とするところは、次のとおりである。前記組立体は、前記本体と、前記本体に入れられたコーヒーや茶葉等の被抽出物と、前記本体が封入されている密閉袋と、前記密閉袋に形成されている前記支持手段とで構成され、前記本体が、開口可能な頂部と、前記頂部に対向している底部と、これら両部間に位置している周壁部とを有し、前記周壁部の所要部位が前記密閉袋の内面に止着している。前記密閉袋は、不透水性シート材料でできていて、該密閉袋の頂部は、前記本体の頂部と重なり合っていて前記本体の頂部とともに接合して該密閉袋の幅方向全体に延びていて該密閉袋を閉じる第１接合部を有し、前記第１接合部よりも下方には前記幅方向へ裁断可能な部位を有しており、該密閉袋の底部は、前記本体の底部より下方で、前記不透水性シート材料どうしが重なり合って接合することにより形成されていて、前記幅方向へ延びる第２接合部を有し、前記第２接合部は、その上方部分で前記不透水性シート材料どうしの接合部位と非接合部位とが前記幅方向へ交互に配置されている第３接合部と、下方部分で前記幅方向全体に延びている第４接合部とで構成されていて、前記第３接合部において前記幅方向へ裁断可能に形成されており、前記支持手段が、前記密閉袋の第１，２接合部間の外面に形成されている。
【０００８】
【発明の実施の形態】
添付の図面を参照して、使い捨ての喫茶用フィルタ組立体の詳細を説明すると、以下のとおりである。
【０００９】
図１は、後記の使い捨ての喫茶用フィルタ組立体１Ａを開封することによって得られるフィルタ１が、コーヒーカップ７にセットされている状態の斜視図である。図のフィルタ１に湯を注げばコーヒーを抽出することができる。
【００１０】
フィルタ１は内袋２と、外袋３と、環状のホルダー４とで構成されていて、内袋２の中にはコーヒー粉末６が所要量入れられており、ホルダー４がコーヒーカップ７の開口縁部８に載置されている。ホルダー４は、その下縁部９に形成されている逆Ｖ字状の切り欠き部１１を利用して、下縁部９の周り方向の一部分がカップ７の内側となり、残余の部分がカップ７の外側となるようにしてカップ開口縁部８を内外から挟んでいる。
【００１１】
図２，３はフィルタ１の部分破断斜視図と、そのＩＩＩ−ＩＩＩ線による断面図である。内袋２は、フィルタ１の本体となるもので、頂部開口１２と、底部１３と、これらの間に位置する周壁部１４とを有し、パルプ１００％のろ紙が底部１３で折曲されて重ねられ、両側縁部１６でそれら重なり合うろ紙どうしがエンボス加工を施されて一体化している。かかる内袋２は、その平面形状がほぼ逆台形を呈している。
【００１２】
外袋３は、内袋２よりも大きく、その内側に内袋２を収容している矩形のもので、頂部開口２２と、底部２３と、これらの間に位置する周壁部２４とを有している。かかる外袋３は、重なり合う２枚のシート材料が、頂部開口２２を除き、両側縁部２６と底部２３とで接合することにより形成されている。ただし、底部２３では、その接合が外袋３の幅方向において間欠的であって、隣り合う接合部位４０間に幅０．２〜５ｍｍの間隙が幅方向の長さ５０ｍｍ当り１〜２０ケ所の割合で形成されていて、この間隙が外袋３において内側から外側へ水が通過可能な透孔１９を形成している。接合部位４０の上下方向の寸法は、０．０５〜１０ｍｍの範囲にあることが好ましい。
【００１３】
ホルダー４は、前記実登３０００４２３号公報に開示されている類のものであって、内外の袋２，３に使用されているシート材料よりも高剛性の矩形や台形の紙やプラスチックシートを２枚重ね合わせ、両側縁部１７を接着、溶着、エンボス加工等によって接合することで形成されている。
【００１４】
内袋２と外袋３とは、それぞれの頂部開口１２と２２、底部１３と２３、および周壁部１４と２４の位置をほぼ一致させてそれぞれの開口縁部に近い部位２８において、実質的に剥離することがないように、互いに接合している。部位２８は、内外の袋２，３が一体となって開口するように開口の周り方向に少なくとも２箇所形成されていることが好ましい。外袋３とホルダー４、または内袋２と外袋３とホルダー４とは、部位２９において、実質的に剥離することがないように互いに接合している。部位２９は、ホルダー４が環状を呈するときに、それと同時に、内袋２と外袋３とが大きく開口するように環状のホルダー４の周り方向に少なくとも２箇所形成されていることが好ましい。図３は、ホルダー４に対して外袋３だけが接合している態様の例示である。なお、ここで、実質的に剥離することがないように互いに接合しているということは、少なくともフィルタ１の使用に支障を来たすことがない程度の強度で互いに接合していることを意味している。
【００１５】
このように構成されているフィルタ１を図１の態様で使用したときに、内袋２へ注入した湯がコーヒーを抽出して内袋２の外へ出たのち、その湯がカップ７へと滴下する速度は、外袋３の透孔１９によって規制される。透水性シート材料の種類によっては、内袋２の抽出速度が速すぎるという場合があるが、そのような場合に、この喫茶用フィルタ１であれば外袋３の透孔１９の径や数量の選択によってカップ７への滴下速度を抑え、注入した湯とコーヒー粉末６との接触時間を長くすることが可能になる。かかる外袋３は、それを使用する者が自らの好みに応じて透孔１９の径を大きくしたり数量を増やしたりすることもできる。
【００１６】
図４，５は、図１〜３に例示のフィルタ１を得るための、喫茶用フィルタ組立体１Ａの平面図と、同図のＶ−Ｖ線断面図である。この組立体１Ａが、フィルタ１と異なるのは、外袋３に替えて内袋２の外側に密閉袋３Ａを有している点である。また、密閉袋３Ａが、外袋３と異なるのは、密閉袋３Ａが上下部それぞれに幅方向へ延びる第１接合部４１と第２接合部４２とを有していて、この第２接合部４２が、さらに上下に分けられて第３接合部４３と第４接合部４４とで構成されている点である。
【００１７】
第１接合部４１には、図示のように内袋２の頂部開口１２の上方に位置していて、密閉袋３Ａを形成しているシート材料どうしが接合している場合と、図６に示されるように開口１２の下方に位置していて、それらシート材料と内袋２を形成しているシート材料とが一体的に接合している場合とがある。
【００１８】
第２接合部４２のうちの第３接合部４３では、密閉袋３Ａの幅方向において接合部位４０Ａと非接合部位１９Ａとが交互に現われる。非接合部位１９Ａは、幅方向の寸法が０．２〜５ｍｍ、上下方向の寸法が約２〜１０ｍｍの範囲にあることが好ましい。第２接合部４２のうちの第４接合部４４では、袋の幅方向全体が接合している。第４接合部４４の上下方向の寸法は、約０．２〜１０ｍｍの範囲にあることが好ましい。
【００１９】
このように構成されている喫茶用フィルタ組立体１Ａの上方部分は、第１接合部４１よりも下方であって内袋２と密閉袋３Ａとが接合している部位２８よりも上方の範囲において、例えば図示の仮想線４６に沿って、外袋３Ａを幅方向に裁断する。組立体１Ａの下方部分は、第３接合部４３において、例えば図示の仮想線４７に沿って外袋３Ａを幅方向に裁断する。このように密閉袋３Ａを上下それぞれで裁断すると、図１〜３に示された外袋３を有するフィルタ１が得られる。密閉袋３Ａの上方部分が外袋３の開口２２となり、下方部分は、非接合部位１９Ａと接合部位４０Ａとのそれぞれが外袋３の透孔１９と接合部位４０となって、水が通過可能な外袋３の底部２３を形成する。
【００２０】
このような構成のフィルタ組立体１Ａにおいて、内袋２には、ろ紙の他に、不織布や織布、プラスチック製のネット等の透水性シート材料を使用することができる。密閉袋３Ａには、不透水性のシート材料、より好ましくは防湿性かつ不透水性のシート材料、さらに好ましくはそれらシート材料のいずれかであってガスバリヤ性を有するものを使用する。このようなシート材料には、プラスチックシート、紙、金属箔、およびこれらのいずれかを含むラミネートシート等がある。
環状部材４には、フィルタ１をカップ７の上にかざすのに好適な剛性を有するプラスチックシート、紙、およびこれらのラミネートシート等のシート材料やプラスチックの成形品を使用することができる。内袋２や密閉袋３Ａ、環状部材４の接合には、シート材料どうしの接着、溶着、エンボス加工またはデボス加工による圧着等の手段を使用することができる。
【００２１】
かかるフィルタ組立体１Ａでは、密閉袋３Ａを開封しない限り、内袋２の中のコーヒー粉末６または、粉末６に替わる茶葉等が湿気を帯びたり、酸化したりして風味を失うということがない。しかも、密閉袋３Ａの上下を裁断して湯を注ぐだけで手軽に喫茶を楽しむことができる。
【００２２】
図６は、この発明の実施態様の一例を示す図５と同様な図面である。この発明の組立体１Ａは、図１〜５のそれと同じであるが、図６に示された要部のみが図５の態様と異なっている。この組立体１Ａでは、内袋２の頂部が密閉袋３Ａとともに第１接合部４１で接合している。密閉袋３Ａを仮想線４６で開封すると、内袋２と密閉袋３Ａとが開口する。このように内袋２の開口１２が閉じている組立体１Ａは、図５のそれと異なり、組立体１Ａを逆さまにしてもコーヒー粉末６は、内袋２の外へ出ることがない。内袋２の開口１２はこのような態様の他に、密閉袋３Ａの第１接合部４１と、密閉袋３Ａと内袋２との接合部位２８との間において閉じていてもよい。そのときには、その閉じている部位よりも下方に裁断線４６がくるようにして組立体１Ａを開封する。
【００２３】
図７は、この発明の実施態様の他の一例を示す図１と同様の図面である。組立体１Ａの上下を裁断して得られた図示のフィルタ１は、ホルダー３３を使用してカップ７にセットをされている。フィルタ１の外袋３の外面には、半円筒状の部材３４が接合されていて、外袋３と部材３４との間には、ホルダー３３のアーム３６挿通用の透孔３７が外袋３の周り方向へ延びている。ホルダー３３はＹ字型のもので、２本のアーム３６を有し、外袋３には各アーム３６に対応する二つの透孔３７が形成されているが、図にはそのうちの一方のみが示されている。ホルダー３３は、図示の如くカップ７の開口縁に載置される。
【００２４】
この場合のフィルタ組立体１Ａにおいて、フィルタの本体部分である内袋２をカップ７の上にかざすための支持手段は、外袋３に形成されている透孔３７である。
【００２５】
【発明の効果】
この発明に係る使い捨て喫茶用フィルタ組立体は、それを使用するときの態様でみると、透水性シート材料でつくられたフィルタ本体である内袋と、不透水性シート材料でつくられた外袋とで構成されていて、外袋の底部には、抽出液の滴下速度を抑制可能な透孔が形成されるから、内袋の抽出速度が速すぎる場合でも、コーヒー粉末等の被抽出物と湯との接触時間を十分に長くすることができる。かかる組立体を使用前の態様でみると、外袋が防湿性の密閉袋を形成しているから、組立体の中にあるコーヒー粉末等は風味を損うことがなく、保存性がよい。それゆえ、この発明の組立体によれば、風味のよいコーヒーやお茶を手軽に楽しむことができる。
【図面の簡単な説明】
【図１】  使用状態にあるフィルタ組立体の斜視図。
【図２】  図１で使用されているフィルタ組立体の部分破断斜視図。
【図３】  図２のＩＩＩ−ＩＩＩ線断面図。
【図４】  フィルタ組立体の平面図。
【図５】  図４のＶ−Ｖ線断面図。
【図６】  この発明に係るフィルタ組立体の要部断面図。
【図７】  この発明に係るフィルタ組立体の一実施態様を示す斜視図。
【符号の説明】
１    喫茶用フィルタ
１Ａ    フィルタ組立体
２    フィルタ本体（内袋）
３    外袋
４    支持手段（環状部材）
６    被抽出物
１２，２２    頂部開口
１３，２３    底部
１４，２４    周壁
１９Ａ    非接合部位
３７    支持手段（透孔）
４０Ａ    接合部位
４１    第１接合部
４２    第２接合部
４３    第３接合部
４４    第４接合部
【図１】
0003739910.tif 000002
【図２】
0003739910.tif 000003
【図３】
0003739910.tif 000004
【図４】
0003739910.tif 000005
【図５】
0003739910.tif 000006
【図６】
0003739910.tif 000007
【図７】
0003739910.tif 000008